(57)【要約】      （修正有）【課題】ミラー蓋体の開閉により点灯と消灯が可能な車のサンバイザーに用いられる外付け型の照明器具を提供する。【解決手段】外付け型の照明器具２０は、車のサンバイザー１０に組み合わせられるように装設される外付け用ケース２１と、外付け用ケースに搭載される照明ランプ２２と、照明ランプに電気的に接続されると共に照明ランプのオンオフの制御に用いられる誘導形スイッチ２３とを備える。誘導形スイッチの検知誘導により、ミラー蓋体１４が化粧鏡に対して開位置まで移動すると、照明ランプが同調されて自動的にオンになると共に照明用光源を提供し、ミラー蓋体が化粧鏡に対して閉位置まで移動すると、照明ランプが同調されて自動的にオフになると共に光源を消灯させる。【選択図】図１
0003202721.tif 000002
【実用新案登録請求の範囲】
【請求項１】
車のサンバイザーに外付けで装設され、前記車のサンバイザーには化粧鏡及びミラー蓋体が設置される車のサンバイザーに用いられる外付け型の照明器具であって、前記外付け型の照明器具は、
前記車のサンバイザーに組み合わせられるように装設される外付け用ケースと、
前記外付け用ケースに搭載される照明ランプと、
前記照明ランプに電気的に接続され、前記照明ランプのオン或いはオフの制御に用いられる誘導形スイッチとを備え、
ここでは、誘導形スイッチの検知誘導により、前記ミラー蓋体が前記化粧鏡に対して開位置まで移動すると、前記照明ランプが同調されて自動的にオンになると共に照明用光源を提供し、前記ミラー蓋体が前記化粧鏡に対して閉位置まで移動すると、前記照明ランプが同調されて自動的にオフになると共に光源を消灯させることを特徴とする車のサンバイザーに用いられる外付け型の照明器具。
【請求項２】
前記外付け用ケースは、前記車のサンバイザーの一端に組み合わせられるように覆設される開口部を有することを特徴とする、請求項１に記載の車のサンバイザーに用いられる外付け型の照明器具。
【請求項３】
前記外付け型の照明器具は、前記外付け用ケースと前記車のサンバイザーとの間に充填される詰め物をさらに備えることを特徴とする、請求項２に記載の車のサンバイザーに用いられる外付け型の照明器具。
【請求項４】
前記詰め物は支持部材を有することを特徴とする、請求項３に記載の車のサンバイザーに用いられる外付け型の照明器具。
【請求項５】
前記外付け用ケースは支持部材を有することを特徴とする、請求項１に記載の車のサンバイザーに用いられる外付け型の照明器具。
【請求項６】
前記ミラー蓋体は、折り畳み式ミラー蓋体或いはスライド式ミラー蓋体の内の何れか１つであることを特徴とする、請求項１に記載の車のサンバイザーに用いられる外付け型の照明器具。
【請求項７】
前記誘導形スイッチは磁気リードスイッチであり、前記磁気リードスイッチは前記外付け用ケースに設置される磁気誘導素子及び前記ミラー蓋体に設置されると共に前記ミラー蓋体に従って移動するマグネットを備えることを特徴とする、請求項１または６の何れか１項に記載の車のサンバイザーに用いられる外付け型の照明器具。
【請求項８】
前記照明ランプ及び前記誘導形スイッチは電源コードにより自動車の給電システムに電気的に接続されることを特徴とする、請求項１に記載の車のサンバイザーに用いられる外付け型の照明器具。
【請求項９】
前記外付け用ケースには電池が内設され、且つ前記照明ランプ及び前記誘導形スイッチは前記電池に電気的に接続されることを特徴とする、請求項１に記載の車のサンバイザーに用いられる外付け型の照明器具。
【考案の詳細な説明】
【技術分野】
【０００１】
本考案は、車のサンバイザーに用いられる外付け型の照明器具に関し、より詳しくは、運転手或いは乗客が車のサンバイザーの化粧鏡を使用する場合に、化粧鏡のミラー蓋体が開かれると、照明ランプが同調されて照明用光源を提供し、反対に、化粧鏡のミラー蓋体が閉じられると、照明ランプが同調されてオフになると共に光源を消灯させる車のサンバイザーに用いられる外付け型の照明器具に関する。
【背景技術】
【０００２】
運転手或いは乗客が身を整えたり化粧をするために、ほぼ全ての車のサンバイザーには化粧鏡が取り付けられている。
【考案の概要】
【考案が解決しようとする課題】
【０００３】
しかしながら、前述した従来の技術では、即ち、一部の廉価な車では、サンバイザーに化粧鏡が配備されているが、サンバイザーに照明ランプが内蔵されていない場合があり、夜間や暗い場所等では、運転手及び乗客は車内の他の照明ランプを利用して間接的に照明用光源を得るしかなかった。
【０００４】
また、照明ランプの無い車のサンバイザーでは、各種の付加方式により照明ランプをサンバイザーに結合させて、照明用光源が無いことによる不便を解消できるが、外付け式照明ランプを採用する場合、使用においては、照明ランプのスイッチを押すか切り換えるかしなければ光源の制御ができない。
【０００５】
換言すれば、照明ランプを使用する場合、使用者が照明ランプのスイッチを押すか切り換えると、照明ランプがオンになり照明用光源を発光させ、使用後に照明ランプのスイッチを再度押すか切り換えるかして、照明ランプをオフにする。
【０００６】
そこで、本考案者は上記の欠点が改善可能と考え、鋭意検討を重ねた結果、合理的設計で上記の課題を効果的に改善する本考案の提案に到った。
【０００７】
本考案は、以上の従来技術の課題を解決する為になされたものである。即ち、本考案は、車のサンバイザーに用いられる外付け型の照明器具を提供することを主目的とする。
【課題を解決するための手段】
【０００８】
上述した課題を解決し、上記目的を達成するための本考案は、本考案に係る車のサンバイザーに用いられる外付け型の照明器具は、車のサンバイザーに外付けで装設され、前記車のサンバイザーには化粧鏡及びミラー蓋体が設置され、前記外付け型の照明器具は、
前記車のサンバイザーに組み合わせられるように装設される外付け用ケースと、前記外付け用ケースに搭載される照明ランプと、前記照明ランプに電気的に接続され、前記照明ランプのオン或いはオフの制御に用いられる誘導形スイッチとを備え、
ここでは、誘導形スイッチの検知誘導により、前記ミラー蓋体が前記化粧鏡に対して開位置まで移動すると、前記照明ランプが同調されて自動的にオンになると共に照明用光源を提供し、前記ミラー蓋体が前記化粧鏡に対して閉位置まで移動すると、前記照明ランプが同調されて自動的にオフになると共に光源を消灯させることを特徴とする。
【０００９】
前記外付け用ケースは覆設部材を備え、前記覆設部材は、前記車のサンバイザーの一端に組み合わせられるように覆設される開口部を有する。
【００１０】
前記外付け用ケースは、前記覆設部材と前記車のサンバイザーとの間に充填される詰め物をさらに備える。また、前記詰め物には支持部材が結合される。
【００１１】
前記外付け用ケースは、前記車のサンバイザーに組み合わされるように挟持される支持部材を有する。
【００１２】
前記ミラー蓋体は折り畳み式ミラー蓋体或いはスライド式ミラー蓋体の内の何れか１つである。
【００１３】
前記誘導形スイッチは磁気リードスイッチであり、前記磁気リードスイッチは前記外付け用ケースに設置される磁気誘導素子及び前記ミラー蓋体に設置されると共に前記ミラー蓋体に従って移動するマグネットを備える。
【００１４】
前記照明ランプ及び前記誘導形スイッチは電源コードにより自動車の給電システムに電気的に接続される。
前記外付け用ケースには電池が内設され、且つ前記照明ランプ及び前記誘導形スイッチは前記電池に電気的に接続される。
【考案の効果】
【００１５】
化粧鏡を有すると共にミラー蓋体が付加されるサンバイザーに対して、運転手或いは乗客が化粧鏡を使用する場合に必要な照明用光源を提供する。また、ミラー蓋体の開閉の動作により、照明ランプが照明用光源を提供させるか否かを制御可能な革新的な設計を採用し、操作をより簡単にする。
【図面の簡単な説明】
【００１６】
【図１】本考案の第１実施形態に係る車のサンバイザーに用いられる外付け型の照明器具が車のサンバイザーに組み合わせられ、ミラー蓋体が開位置まで移動する場合の外観斜視図である。
【図２】本考案の第１実施形態に係る車のサンバイザーに用いられる外付け型の照明器具が車のサンバイザーに組み合わせられ、ミラー蓋体が閉位置まで移動する場合の外観斜視図である。
【図３】本考案の第１実施形態に係る車のサンバイザーに用いられる外付け型の照明器具が車室内のサンバイザーに組み合わせられる使用状態を示す概略図である。
【図４】本考案の第１実施形態に係る車のサンバイザーに用いられる外付け型の照明器具が車のサンバイザーに組み立てられない外観斜視図である。
【図５】本考案の第１実施形態に係る車のサンバイザーに用いられる外付け型の照明器具を示す展開図である。
【図６】本考案の第１実施形態に係る車のサンバイザーに用いられる外付け型の照明器具が車のサンバイザーに組み立てられた外観斜視図である。
【図７】本考案の第１実施形態に係る車のサンバイザーに用いられる外付け型の照明器具が別種の車のサンバイザーに組み合わせられる使用状態を示す概略図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
本考案に係る外付け型の照明器具２０は、照明ランプが内蔵されない車のサンバイザー１０に外付けで装設される（図１及び図２参照）。図に示すように、車室内に装設される一般的な従来の車のサンバイザー１０は、主にサンバイザー本体１１及び車室内に結合されるように装設される固定用台座１２を備え、サンバイザー本体１１には化粧鏡１３及び可動式のミラー蓋体１４が設置され、前記ミラー蓋体１４は大きく分けて折り畳み式ミラー蓋体及びスライド式ミラー蓋体の２種類の設計を含む。本実施形態では折り畳み式ミラー蓋体を図示し、図１及び図２に示すように、前記ミラー蓋体１４が図１に示す開位置まで移動すると、化粧鏡１３が露出され、運転手或いは乗客により使用される。ミラー蓋体１４はまた、図２に示す化粧鏡１３の上方を被覆させる閉位置まで移動する。
【００１９】
また、図１乃至図３に示すように、本考案に係る外付け型の照明器具２０は車室内３０内に搭載される車のサンバイザー１０に外付けで装設され、運転手４０或いは乗客が車のサンバイザー１０の化粧鏡１３を使用する場合、運転手４０或いは乗客が化粧鏡１３のミラー蓋体１４を開くだけで、外付け型の照明器具２０に搭載される照明ランプ２２が同調されて照明用光源を提供する。使用後に、運転手４０或いは乗客が化粧鏡１３のミラー蓋体１４を閉めるのみで、照明ランプ２２がミラー蓋体１４の蓋が閉められた後に同調されてオフになると共に光源を消灯させる。
【００２０】
続いて、図４及び図５に示すように、本考案に係る外付け型の照明器具２０は、主に前記車のサンバイザー１０に組み合わせられるように装設される外付け用ケース２１と、前記外付け用ケース２１に搭載される照明ランプ２２と、前記照明ランプ２２に電気的に接続されると共に前記照明ランプ２２のオン或いはオフの制御に用いられる誘導形スイッチ２３とを備える。前記照明ランプ２２及び前記誘導形スイッチ２３は電源コード２６により自動車の給電システムに電気的に接続される。或いは、外付け用ケース２１に電池（図示せず）が内設され、照明ランプ２２及び誘導形スイッチ２３に電気的に接続される。
【００２１】
前記外付け用ケース２１はサンバイザー本体１１の一端に組み合わせられるように覆設される開口部２１１を有する。さらに、本実施態様では、本考案に係る外付け型の照明器具２０は、外付け用ケース２１とサンバイザー本体１１との間に充填される詰め物２４をさらに備え、外付け用ケース２１がより堅固にサンバイザー本体１１に組み合わされるように覆設される。このほか、図から分かるように、前記詰め物２４は支持部材２５を有し、詰め物２４及び外付け用ケース２１が共にサンバイザー本体１１に結合されるように装設される以外、支持部材２５はサングラス５０やカード等の物品を掛ける或いは挟持させる機能を提供する（図６参照）。
【００２２】
前述の外付け用ケース２１及び詰め物２４の２つの部材の設計以外、実施において、前述の設計を１つの部材構成として統合してもよく、即ち、外付け用ケース２１に同時に支持部材２５を有する設計になる。外付け用ケース２１及びサンバイザー本体１１が組み合わせられた後の緊結度を強化するため、外付け用ケース２１の開口部２１１の内壁面に緊結効果を強化させる一層の材料が増設されてもよい。
【実施例２】
【００２３】
本実施態様では、図１及び図２に示すように、前記誘導形スイッチ２３は磁気リードスイッチであり、前記磁気リードスイッチは、前記外付け用ケース２１に設置される磁気誘導素子２３１及びミラー蓋体１４に設置されると共にミラー蓋体１４に従って移動するマグネット２３２を備える。
【００２４】
このような構成により、誘導形スイッチ２３の検知誘導により、ミラー蓋体１４が開位置（図１の位置に示すように）まで移動されると、前記照明ランプ２２が同調されて自動的にオンになると共に照明用光源を提供する。前記ミラー蓋体１４が閉位置（図２の位置に示すように）まで移動されると、前記照明ランプ２２が同調されて自動的にオフになると共に光源を消灯させる。
【００２５】
磁気誘導素子２３１及びマグネット２３２は外付け用ケース２１及びミラー蓋体１３にそれぞれ設置される。車のサンバイザー１０のミラー蓋体１４が閉まった状態に保持されると共に化粧鏡１３に蓋をしている場合、マグネット２３２が磁気誘導素子２３１に近接される位置に丁度良く位置され、この際、磁気誘導素子２３１がマグネット２３２の作用を受けて電断状態になり、照明ランプ２２が照明用光源を発しなくなる。運転手或いは乗客が手でミラー蓋体１４を開けて、ミラー蓋体１４を前記化粧鏡１３に対して図１に示す開位置まで移動させると、マグネット２３２が磁気誘導素子２３１から離れた後、磁気誘導素子２３１が通電状態に変換され、照明ランプ２２が同調されて自動的にオンになると共に照明用光源を提供し、運転手或いは乗客が化粧鏡１３を使用すると同時に照明ランプ２２により照明が提供される。使用後に運転手或いは乗客が手でミラー蓋体１４に蓋をし、ミラー蓋体１４を前記化粧鏡１３に対して図２に示す閉位置まで移動させると、照明ランプ２２が同調されて自動的にオフになると共に光源を消灯させる。
【００２６】
図７は本考案に係る外付け型の照明器具２０が他の型式の車のサンバイザー１０に応用される使用状態を示す概略図であり、車のサンバイザー１０のサンバイザー本体１１にはスライド式ミラー蓋体１４が搭載され、前記ミラー蓋体１４が図に示す開位置まで移動すると、化粧鏡１３が露出され、運転手或いは乗客により使用される。ミラー蓋体１４はまた、化粧鏡１３の上方に蓋をさせる閉位置まで移動する。
【００２７】
本考案に係る外付け型の照明器具２０が組み合わされるように装設されると、同様に、ミラー蓋体１４´が開位置或いは閉位置まで押されることによる切り換え動作により、照明ランプ２２が自動的にオンになると共に照明用光源を提供し、且つ自動的にオフになると共に光源を消灯させるという変化を達成させる。
【００２８】
上述の説明から分かるように、本考案は照明ランプが内蔵されない車のサンバイザーに装設される外付け型の照明器具であり、運転手或いは乗客が車のサンバイザーの化粧鏡を使用する場合、化粧鏡のミラー蓋体を開けると、本考案に係る外付け型の照明器具に搭載される照明ランプが同調されて照明用光源を提供する。反対に、化粧鏡のミラー蓋体が閉められると、照明ランプが同調されてオフになると共に光源を消灯させる。即ち、本考案では、ミラー蓋体の開閉を切り換えることで、照明ランプが照明用光源を提供させるか否かが制御される設計を提供し、使用がより簡単になる。
【００２９】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００３０】
１０  車のサンバイザー
１１  サンバイザー本体
１２  固定用台座
１３  化粧鏡
１４  ミラー蓋体
２０  外付け型の照明器具
２１  外付け用ケース
２１１  開口部
２２  照明ランプ
２３  誘導形スイッチ
２３１  磁気誘導素子
２３２  マグネット
２４  詰め物
２５  支持部材
２６  電源コード
３０  車室内
４０  運転手
５０  サングラス
【図１】
0003202721.tif 000003
【図２】
0003202721.tif 000004
【図３】
0003202721.tif 000005
【図４】
0003202721.tif 000006
【図５】
0003202721.tif 000007
【図６】
0003202721.tif 000008
【図７】
0003202721.tif 000009